(57)【要約】【課題】携帯電話の電磁波防止策に関すると共に緊急時に対処できる。【解決手段】この携帯電話は、通常は外部スピーカ１２と外部マイク１３で通話が可能であるが、秘密値を入力して一致すると内蔵スピーカ５と内蔵マイク６での通話が可能である。また、外部スピーカ１２と外部マイク１３を外すと、内蔵スピーカ５と内蔵マイク６での通話が可能であるが特殊状態になって、通話者が係る状態での通話であることが判る。【選択図】図３
2008092319.tif 000002
【特許請求の範囲】
【請求項１】
秘密値を入力する操作手段と、内蔵スピーカと内蔵マイクを備えると共に、外部スピーカと外部マイクを接続手段を介して通話可能な携帯電話であって、
前記操作手段を介して予め秘密値が入力してあり、
連動スイッチは前記内蔵スピーカと内蔵マイク又は外部スピーカと外部マイクの何れかと伝達可能であり、
前記操作手段を介して入力する秘密値が、前記予め設定の秘密値と同じであるとき、前記連動スイッチを介して外部スピーカと外部マイクに伝達可能であり、  前記外部スピーカと外部マイクの接続手段を外すと、前記内蔵スピーカと内蔵マイクでの通話が可能であると共に、前記外部スピーカと外部マイクの接続手段を外して通話中であることが判る特殊状態で通話することを特徴とする携帯電話。
【請求項２】
特殊状態は、
（ａ）通話中に小さな音量の特殊音を発するか、
（ｂ）通話中に大きな音量の特殊音を発するか、
（ｃ）通話中の音質をボイスチェンジャー等で変更するか、
（ｄ）通話中、携帯電話に付設のバイブレータが作動するか、
の少なくとも何れかであることを特徴とする請求項１の携帯電話。
【請求項３】
自動車の運転中であることを検知する運転検知手段と内蔵スピーカと内蔵マイクを備えると共に、外部スピーカと外部マイクを接続手段を介して通話可能な携帯電話であって、
前記運転検知手段によって、運転中であると、連動スイッチは外部スピーカと外部マイクに接続し、
前記運転検知手段によって、停止中であると、連動スイッチは内部スピーカと内部マイクに接続し、
前記外部スピーカと外部マイクの接続手段を外すと、前記内蔵スピーカと内蔵マイクでの通話が可能であると共に、前記外部スピーカと外部マイクの接続手段を外して通話中であることが判る特殊状態で通話することを特徴とする携帯電話。
【請求項４】
特殊状態は、
（ａ）通話中に小さな音量の特殊音を発するか、
（ｂ）通話中に大きな音量の特殊音を発するか、
（ｃ）通話中の音質をボイスチェンジャー等で変更するか、
（ｄ）通話中、携帯電話に付設のバイブレータが作動するか、
の少なくとも何れかであることを特徴とする請求項３の携帯電話。
【発明の詳細な説明】
【技術分野】
【０００１】
本発明は、携帯電話の電磁波防止策に関する。
【背景技術】
【０００２】
従来、電磁波防止策を考慮した携帯電話として、特開２００３−２３４８０１号公報がある。
この公報には、「秘密値」を介して、携帯電話に内蔵のマイクとスピーカ或いは外部スピーカと外部マイクで通話可能の選択が可能な発明が開示してある。
通常時には、外部スピーカと外部マイクで通話可能であるため、携帯電話本体を頭に近付けることなく会話が可能である。
しかし、内蔵のマイクとスピーカを使用する場合には、予め設定してある「秘密値」を入力することになっている。
【０００３】
【特許文献１】特開２００３−２３４８０１号公報
【発明の開示】
【発明が解決しようとする課題】
【０００４】
しかしながら、幼児にとって、外部スピーカと外部マイクで通話することが煩わしく、内蔵スピーカと内蔵マイクで通話することを行う。前記、従来の携帯電話で「秘密値」を入力しないと通話が不可能であるが、特に、緊急時等の場合には、内蔵スピーカと内蔵マイクで通話することの方がよい場合がある。
そこで、本願では、従来と同じように、通常時には外部スピーカと外部マイクで通話可能であり、頭と携帯電話本体とが離れて電磁波防止策を施しているが、「秘密値」を入力すると、携帯電話に内蔵のマイクとスピーカで通話が可能となる。
しかし、緊急時等には、携帯電話本体から、即ち、携帯電話に内蔵のマイクとスピーカで通話をするのが好ましい。
そこで、本願の発明は、係る事項をを解消する携帯電話を提供する。
【課題を解決するための手段】
【０００５】
請求項１携帯電話は、秘密値を入力する操作手段と、内蔵スピーカと内蔵マイクを備えると共に、外部スピーカと外部マイクを接続手段を介して通話可能であり、前記操作手段を介して予め秘密値が入力してある。又、この携帯電話は、連動スイッチによって、内蔵スピーカと内蔵マイク又は外部スピーカと外部マイクの何れかと伝達可能である。そして、操作手段を介して入力する秘密値が、前記予め設定の秘密値と同じであるとき、前記連動スイッチを介して外部スピーカと外部マイクに伝達可能であるが、外部スピーカと外部マイクの接続手段を外すと、前記内蔵スピーカと内蔵マイクでの通話が可能となる。そして、その外部スピーカと外部マイクの接続手段を外して通話中であることは、特殊状態で通話可能としているので容易に判る。
即ち、この携帯電話は、通常時には外部スピーカと外部マイクで通話可能であり、秘密値を介して内蔵スピーカと内蔵マイクと通話できる。しかし、緊急時には、内蔵スピーカと内蔵マイクと通話できるようにすると、特殊状態での通話となり、この特殊状態である外部スピーカと外部マイクで通話しているのではなく、内蔵スピーカと内蔵マイクで通話していることが、通話者に判るようになっている。
【０００６】
請求項２の携帯電話は、特殊状態の具体例であり、（ａ）通話中に小さな音量の特殊音を発するか、（ｂ）通話中に大きな音量の特殊音を発するか、（ｃ）通話中の音質をボイスチェンジャー等で変更するか、（ｄ）通話中、携帯電話に付設のバイブレータが作動するかの少なくとも何れかである。従って、係る状態であるときには、外部スピーカと外部マイクで通話しているのではなく、内蔵スピーカと内蔵マイクで通話していることが判る。
【０００７】
又、請求項３の携帯電話は、自動車の運転中におけるもので、自動車の運転中であることを検知する運転検知手段と内蔵スピーカと内蔵マイクを備えると共に、外部スピーカと外部マイクを接続手段を介して通話可能である。
又、運転検知手段によって、運転中であると、連動スイッチは外部スピーカと外部マイクに接続し、運転検知手段によって、停止中であると、連動スイッチは内部スピーカと内部マイクに接続する。
そして、外部スピーカと外部マイクの接続手段を外すと、前記内蔵スピーカと内蔵マイクでの通話が可能であると共に、前記外部スピーカと外部マイクの接続手段を外して通話中であることが判る特殊状態で通話する。
又、請求項４の携帯電話は、前記請求項３における特殊状態は、
（ａ）通話中に小さな音量の特殊音を発するか、
（ｂ）通話中に大きな音量の特殊音を発するか、
（ｃ）通話中の音質をボイスチェンジャー等で変更するか、
（ｄ）通話中、携帯電話に付設のバイブレータが作動するか、
の少なくとも何れかである。
【発明の効果】
【０００８】
本願発明の請求項１、２の携帯電話は、通常時には外部スピーカと外部マイクで通話可能であり、秘密値を介して内蔵スピーカと内蔵マイクと通話できる。しかし、緊急時には、内蔵スピーカと内蔵マイクと通話できるようにすると、特殊状態での通話となり、この特殊状態である外部スピーカと外部マイクで通話しているのではなく、内蔵スピーカと内蔵マイクで通話していることが、相手の通話者に判るようになっている。
又、本願発明の請求項３、４の携帯電話は、通常時には内部スピーカと内部マイクで通話可能であり、自動車を運転中は外部スピーカと外部マイクで通話可能である。しかし、自動車を運転中に内部スピーカと内部マイクで通話すると、特殊状態での通話となり、内蔵スピーカと内蔵マイクで通話していることが、相手の通話者に判るようになっている。
【発明を実施するための最良の形態】
【０００９】
本発明の一実施の形態について図面を参照して説明する。図１は携帯電話の外観図であり、図２は制御ブロック図、図３は制御フロー図である。
携帯電話は、よく知られたように、本体１内に送信部と受信部、及び、内蔵スピーカ５と内蔵マイク６を備えていると共に、表示器１１や複数の操作釦１０、アンテナ２０等が付設してある。尚、内蔵スピーカ５は本体の上部に、内蔵マイク６は本体の下部に位置し、本体の表面側或いは裏面側に設けてある。そして、操作釦１０を押すことによって、ＲＡＭ付きＣＰＵはＲＯＭに記録の制御ソフトウエアを介して種々の操作が実行される。
【００１０】
例えば、操作釦１０を介して、電話番号を順次押すと、その番号はＣＰＵによって解読され、送信部を介して発信される。そして、電話局と繋がると、受信したデジタル信号はアナログ信号に変換されて、内蔵スピーカ５から音声として発し、内蔵マイク６で喋ったアナログ信号は、デジタル信号に変換されて発信部から送信されて相手方と通話が可能である。
【００１１】
又、この携帯電話には、従来と同様に、内蔵スピーカ５と内蔵マイク６を備えていると共に、接続手段（外部端子（ジャック）１５にプラグ１６を装着）と、外部スピーカ１２と外部マイク１３にケーブル１４を介して接続されている。尚、この接続手段は磁石作用で接続可能に構成してもよいし、無線式の送受信器を介して構成してもよい。。
尚、前記プラグ１６が外部端子（ジャック）１５に挿入されているか否かを検出するプラグ検出器１９が、前記外部端子（ジャック）１５に付設してある。前記プラグ検出器１９は、前記接続手段によって構成を異にするが、金属を検出する近接スイッチ形式や検出端の動きで検出するリミットスイッチ形式等を採用する。尚、内蔵スピーカ５と内蔵マイク６が無線式の場合には、新たにスイッチを設け、そのスイッチの入切りをプラグ検出器１９で検出する方式とする。
【００１２】
尚、この外部端子１５と内蔵スピーカ５と内蔵マイク６は、図２に示すように、連動スイッチ２０ａ、２０ｂを介して接続可能に構成してあるため、この接続状態で伝達可能になる。そのため、受信部で受信の音声のデジタル信号は、前記ＣＰＵを介してアナログの音声信号に変換され、その音声出力は、連動スイッチ２０ｂを介して、内蔵スピーカ５か、外部端子１５の何れかに接続される。又、内蔵マイク６又は外部マイク１３の何れかからの音声信号は、連動スイッチ２０ａを介して、デジタル信号に変換する変換回路に入力し、変換されたデジタル信号は発信部から送信される。
【００１３】
次に、前記連動スイッチ２０ａ、２０ｂの制御について説明するが、この連動スイッチ２０ａ、２０ｂは、原則として外部端子１５に接続されている。従って、内蔵スピーカ５と内蔵マイク６を使用可能にするためには、後記で詳述するが、「予め設定の秘密値（例えば、４３２１）」と合致する「入力値」を入力するか、前記プラグ１６を外部端子（ジャック）１５から抜いて、その状態をプラグ検出器１９で検出したときである。
そのため、前記プラグ１６を外部端子（ジャック）１５から抜くか、或いは、幼児等が持っているの携帯電話において、親が、前記予め設定の秘密値、例えば、「４３２１」を入力しておくと、幼児がこの秘密値を入力しない限り、内蔵スピーカ５と内蔵マイク６を使用できず、外部端子１５を介する外部マイク１３と外部スピーカ１２を使用して会話をすることになる。
【００１４】
次に、前記概念を可能とする携帯電話の操作釦による制御について、概念を示す制御フロー（図３）について説明する。尚、操作手段は、複数の操作釦１０を介して行う例を上げ、複数個の操作釦１０のうち、予め決められた操作釦を、下記する設定操作釦とする。
先ず、プラグ検出器１９で前記プラグ１６を外部端子（ジャック）１５から抜いた状態であるか否かを判断し（Ｓ１）、挿入状態である（ＹＥＳ）ときには、ステップ（Ｓ１０）に進む。そして、このステップ１０では、設定操作釦１０が、押されたか否かを判断し、この設定操作釦が押されたときには、秘密値の個数を制限するためにカウンタｉの初期化を行う（Ｓ１１）。
そして、連動スイッチに関する「入力データ」として、押された数字の操作釦１０を一時メモリに順次記憶する（Ｓ１２〜Ｓ１４）。例えば、ステップ１５において、カウンタｉが４より大きいと設定すると、秘密値は４個となり、順次、「４」、「３」、「２」、「１」の操作釦が押されると、一時メモリには、４個の数字「４３２１」が記憶される。
【００１５】
そして、予め設定の個数になると（Ｓ１５）、特別メモリの値が「０」であるか否かを判断し（Ｓ１６）、「０」であるときには、前記一時メモリの値を特別メモリに秘密値として記憶する（Ｓ１７）。この処理は、特別メモリの書替可能な条件であり、電源がなくなって、特別メモリが「０」となったとき以外には、書替ができないことを意味する。
【００１６】
一方、特別メモリの値が「０」でないときには、既に、特別メモリは秘密値が設定された状態であるので、前記入力された一時メモリの値と比較し（Ｓ１８）、一致したときには、連動スイッチを内蔵スピーカ５と内蔵マイク６側に接続して、内蔵スピーカ５と内蔵マイク６で伝達可能になる（Ｓ１９）。即ち、予め設定された特別メモリに記憶の秘密値を入力すると、連動スイッチは切り替わって、内蔵スピーカ５と内蔵マイク６の使用が可能となる。しかし、一致しないときには、そのままの接続、即ち、外部接続を維持するので、外部接続のスピーカ１２と外部マイク１３での会話が可能である（Ｓ２０）。
【００１７】
従って、前記予め設定の特別メモリに記憶の秘密値を入力しない限り、連動スイッチは切り替わらない。そのため、親が特別メモリに秘密値を設定しておくと、幼児はこの秘密値を知って入力しない限り、内蔵スピーカ５と内蔵マイク６を使用できない。そのため、幼児に対し、外部スピーカ１２と外部マイク１３による会話を強要させることができ、本体１等の電磁波を発生する箇所から頭を遠ざけた状態で通話が可能となり、電磁波の影響を減少させることができる。即ち、本体１を鞄やポケットに収納した状態で、外部スピーカ１２と外部マイク１３による会話を強要させることができるので、電磁波の影響を減少させる。
【００１８】
一方、前記ステップ１において、プラグ検出器１９で前記プラグ１６が外部端子（ジャック）１５から抜かれたとき（ＮＯ）には、前記ステップ１９と同様に、連動スイッチを内蔵スピーカ５と内蔵マイク６側に接続して、内蔵スピーカ５と内蔵マイク６で通話可能にする（Ｓ５）。この状態にセットするのは、例えば、幼児が緊急のときには、内蔵スピーカ５と内蔵マイク６で通話する方が望ましいからである。
そして、相手の電話番号をダイアルして内蔵スピーカ５と内蔵マイク６での通話が可能になった後には、下記の何れかの特殊状態での通話とし、内蔵スピーカ５と内蔵マイク６で会話していることが判るようにする（Ｓ６）。
【００１９】
前記特殊状態を列記すると、
（ａ）通話中に、小さな音量の特殊音を発する。この小さな特殊音は、通話中の双方の少なくとも何れか一方が聞けるようにする。又、通話者の双方が特殊音を聞くことができるように構成すると、例えば、幼児等とその親が通話中に、親等が特殊音を聴いたときには、幼児等がプラグを外して通話していることが認識でき、緊急状態であるか、或いは、外部マイクで話すように忠告することができるし、自身も判る。
【００２０】
（ｂ）通話中に、大きな音量の特殊音を発する。この大きな特殊音は、前記小さな特殊音と同様な取り扱いである。
（ｃ）通話中の音質をボイスチェンジャー等で変更する。この変更した音声は、通話者の双方の少なくとも何れか一方が聴こえるように構成する。尚、又、通話者の双方が変更された音質で聞くことができるように構成すると、幼児等がプラグを外して通話しているが判り、緊急状態であるか、或いは、外部マイクで話すように忠告することができるし、自身も判る。
【００２１】
（ｄ）通話中、携帯電話に付設のバイブレータが作動する。このバイブレータが作動するのは、通話中の双方の少なくとも何れか一方で作動する。
又、通話者の双方が所持している携帯電話が振動すると、幼児等がプラグを外して通話していることが振動によって判り、緊急状態であるか、或いは、外部マイクで話すように忠告することができるし、自身も判る。
（ｅ）又、前記（ａ）〜（ｄ）を適宜組み合せて、幼児等がプラグを外して外部マイクと外部スピーカで通話していることを、通話の相手又は及び自身が認識可能に構成する。
以上のように、本願の携帯電話は、通話者の相手又は及び自身が、接続手段を外して通話していることが認識できるので、例えば、緊急時であっても、相手に容易に通話できる。
尚、前記した特殊状態は、例示であって、外部スピーカと外部マイクで通話しているのではなく、内蔵スピーカと内蔵マイクで通話していることが、通話者の相手又は自身或いは双方が判る手段であればよい。
そして、通話が終了したか否かを判断し（Ｓ７）、終了しないときには前記ステップ６を継続し、終了したときには、基の状態に戻る。
【００２２】
以上のように、本願の携帯電話は、通常時には外部スピーカと外部マイクで通話可能であり、秘密値を介して内蔵スピーカと内蔵マイクと通話できる。しかし、緊急時には、内蔵スピーカと内蔵マイクと通話できるようにすると、特殊状態での通話となり、この特殊状態である外部スピーカと外部マイクで通話しているのではなく、内蔵スピーカと内蔵マイクで通話していることが、通話者に判るようになっている。従って、幼児からの通話が外部スピーカと外部マイクを外しての通話であることが判り、緊急時であるか、或いは、内部スピーカと内部マイクで通話することを促すことができる。
【００２３】
尚、前記秘密値等を入力する操作手段として、前記例では操作釦１０を介して行っているが、特別なスイッチや音声入力等であってもよいし、秘密値は前記の数字の他、例えば、図形や指紋等を採用し、予め登録の複数の図柄や指紋の何れかを秘密値として設定しておいて、その図柄や指紋を指定したとき、本体の内蔵スピーカと内蔵マイクの使用を可能にする等を含む。
又、前記の特別メモリの設定は、「０」にならない限り書き替えができない構成であるが、他の操作によって書き替え可能に構成してもよい。
【００２４】
次に、自動車の運転中に、携帯電話を使用すると、特殊状態で通話可能にして内蔵スピーカ５と内蔵マイク６の使用を禁止し、外部スピーカ１２と外部マイク１３の使用を促すことについて説明する。
携帯電話には、運転検知手段が内蔵してあり、その運転検知手段の一例として、よく知られた振動感知センサ（図示略）が取り付けてある。そして、自動車を運転しながら通話すると、前記振動感知センサが振動を感知する。そして、この振動感知センサの感知によって、図２に示す連動スイッチ２０ａ、２０ｂによって、外部スピーカ１２と外部マイク１３の使用を可能にする。
尚、この携帯電話には、前記した様に「秘密値」によって、内蔵スピーカ５と内蔵マイク６の使用を可能にする機能は好ましくないので、その制御は搭載しない。従って、運転中は外部スピーカ１２と外部マイク１３での通話になり、停車中は内蔵スピーカ５と内蔵マイク６を使用して通話ができる。
又、前記運転検知手段には、エンジン音を検知する検出センサを用いて行ったり、予め自動車に搭載してあるエンジンが回転中のとき発する電波等を受信して検出する等がある。
【００２５】
自動車の運転中は、前記した様に、振動感知センサの感知によって外部スピーカ１２と外部マイク１３の使用を可能にする。しかし、運転者が、それにも拘らず、外部スピーカと外部マイクを接続手段を外して、内蔵スピーカ５と内蔵マイク６を使用して通話をすると、前記特殊状態で通話することになり、通話の相手に運転中での通話であることが判る。
尚、特殊状態での通話は、前記した様に、（ａ）通話中に、小さな音量の特殊音を発することや、（ｂ）通話中に、大きな音量の特殊音を発することや、（ｃ）通話中の音質をボイスチェンジャー等で変更することや、（ｄ）通話中、携帯電話に付設のバイブレータが作動することや、（ｅ）前記（ａ）〜（ｄ）を適宜組み合せて外部マイクと外部スピーカで通話していることを、通話の相手又は及び自身が認識可能にするものである。
以上のように、本願の携帯電話は、通話者の相手又は及び自身が、自動車を運転中に、接続手段を外して通話していることが認識できるので、通話の相手は、自動車を停止して話すことを促すことができる。
【００２６】
尚、本体の内蔵スピーカと内蔵マイクを使用可能にする条件は、前記の「秘密値」による制御の他に、例えば、所定時間以内の会話を認めたり、１日の所定回数に限定して使用を認める等の方式であってもよく、この制御フローは簡便に構成できるので省略する。
又、前記内蔵スピーカ５、内蔵マイク６は、携帯電話の構造により、外部スピーカ１２、外部マイク１３と兼用に構成してもよい。
【図面の簡単な説明】
【００２７】
【図１】携帯電話の外観図である。
【図２】制御ブロック図である。
【図３】制御フロー図である。
【符号の説明】
【００２８】
５  内蔵スピーカ
６  内蔵マイク
１０  操作釦
１２  外部スピーカ
１３  外部マイク
１５  外部端子（接続手段）
２０ａ、２０ｂ  連動スイッチ
【図１】
2008092319.tif 000003
【図２】
2008092319.tif 000004
【図３】
2008092319.tif 000005